(57)【要約】【課題】トルクレンチを用いてテークアップを調整する方法の場合には、テークアップ本体７Ａとテークアップガイド７Ｂの摩擦状態や、テークアップロッド７Ｃとテークアップナット７Ｄの螺合状態及びネジ効率等によってトルクが変動し、トルクレンチの読取値が不安定であるため、トルクレンチ７Ｅのトルクの読取値のみでキャリアチェーン３の緊張状態の適否を判断することが難い。【解決手段】本発明の水路用除塵機１０は、上下二対のスプロケット１１、１２と、上左右一対のキャリアチェーン１３、１３と、これらのキャリアチェーン１３、１３に連結された複数のバスケット１４と、モータ１６と、上下のスプロケット１１、１２間の間隔を拡縮してキャリアチェーン１３の緊張力を調整するテークアップ機構１７とを備え、更に、モータ１６の駆動力を介してキャリアチェーン１３の緊張力を検出する電力計１８を有している。【選択図】　　　図１
2004116190.tif 000002
【特許請求の範囲】
【請求項１】
上下左右にそれぞれ離間して配置された上下二対のスプロケットと、上下二対のスプロケット間にそれぞれ掛け回された左右一対の無端状チェーンと、左右一対の無端状チェーンに掛け回された上部のスプロケットを第２の無端状チェーンを介して駆動する駆動機構と、上下のスプロケット間の間隔を拡縮して上記無端状チェーンの緊張力を調整する張力調整機構とを備え、上記左右の無端状チェーンに取り付けられた複数のバスケットを介して水中の塵芥を捕捉する水路用除塵機において、上記駆動機構の駆動力を介して上記無端状チェーンの緊張力を検出する検出器を設けたことを特徴とする水路用除塵機。
【請求項２】
上記検出器を着脱自在に設けたことを特徴とする請求項１に記載の水路用除塵機。
【請求項３】
上記検出器として電力計を設けたことを特徴とする請求項１または請求項２に記載の水路用除塵機。
【発明の詳細な説明】
【０００１】
【発明の属する技術分野】
本発明は、例えば海水取水口や上下水路等の水路に設置されたトラベリングスクリーン、バー回転式スクリーン、レーキ付きバースクリーン、バケット型スクリーン等の水路用除塵機に関する。
【０００２】
【従来の技術】
水路用除塵機は、例えば原子力発電所、火力発電所等で冷却用水として大量の海水を取水する際に、海水中の塵芥を補足する自動除塵装置として取水路に設置されている。この水路用除塵機は、図２に示すように、取水路Ｃの水中に浸漬させて配設された下部スプロケット１と、この下部スプロケット１と対をなして水面の上方に配設された上部スプロケット２と、これら両スプロケット１、２間に掛け回された無端状リンクチェーン（以下、「キャリアチェーン」と称す。）３と、このキャリアチェーン３の各リンクに等間隔に取り付けられた濾過体を有する複数のバスケット４（図２では一つのバスケットのみを記載してある）とを備えている。また、上部のスプロケット２には無端状の駆動チェーン５を介してモータ６が連結され、モータ６を介してバスケット４が矢印方向Ｘに流れる水中を矢印方向Ｚに上昇する間に水中の塵芥を捕捉して上部のスプロケット２において反転する。バスケット４が反転する間にバスケット４から塵芥が自然落下して固定シュート（図示せず）を経由して塵芥トラフ（図示せず）に集められる。
【０００３】
図４には図３に示す上部スプロケット２とキャリアチェーン３の関係を拡大して示してある。同図に示すようにスプロケット２はスプロケット本体２Ａの外周に所定数の歯２Ｂが等間隔に形成されている。また、キャリアチェーン３は、複数のリンク対３Ａと、前後のリンク対３Ａを無端状に連結する複数のピン３Ｂと、これらのピン３Ｂにそれぞれ回転自在に装着されたローラ３Ｃとを有している。このキャリアチェーン３が上下のスプロケット２に掛け廻され、ローラ３Ｃと歯２Ｂが噛合すると共にリンク対３Ａ間に歯２Ｂが嵌入する。この状態でスプロケット２が回転する。
【０００４】
而して、水路用除塵機を長期間運転していると、バスケット４及び塵芥の重み等によりキャリアチェーン３の部品が磨耗しピッチが伸びて上下のスプロケット１、２とキャリアチェーン３の噛み合いが悪くなるため、水路用除塵機を定期点検して上下のスプロケット１、２間の間隔を拡げてキャリアチェーン３に緊張力を付与する必要がある。キャリアチェーン３の緊張操作を行う場合には、下部のスプロケット１が水中に浸漬した状態で緊張操作を行うため、上部のスプロケット２側で緊張操作をせざるを得ない。このため、水路用除塵機には図３に示すように上下のスプロケット１、２間の間隔を拡げてキャリアチェーン３に緊張力を付与するテークアップ機構７が張力調節機構として設けられている。このテークアップ機構７は、上部のスプロケット２の側方に取り付けられたテークアップ本体７Ａと、このテークアップ本体７Ａを一対の昇降案内するテークアップガイド７Ｂと、テークアップ本体７Ａから垂直上方に延設されたテークアップロッド７Ｃと、このテークアップロッド７Ｃと螺合するテークアップナット７Ｄとを備えている。
【０００５】
定期点検時等に取水路Ｃに水が入っている充水状態でキャリアチェーン３を緊張させる時には、上述のように下部のスプロケット１とキャリアチェーン３の噛合状態を確認することができないため、上部スプロケット２側でトルクレンチ７Ｅをテークアップナット７Ｄに装着し、トルクレンチ７Ｅを操作することによりテークアップ本体７Ａをテークアップガイド７Ｂに従って上昇させ、トルクレンチ７Ｅのトルクが急激に上昇する時点でトルクレンチの操作を一端中断してそのトルク値を読み取る。その後、トルクレンチを逆方向に回してキャリアチェーンを徐々に緩め、最適な緊張状態を得るようにしている。
【０００６】
また、例えば特許文献１には水路除塵機のテークアップ検出装置が提案されている。このテークアップ検出装置の場合には、チェーンを案内する走行ガイドレールの一部を、その最下端部近傍において絶縁体で絶縁し、その絶縁したレール部とそれに対応するチェーンとでテークアップ検出回路の開閉スイッチの働きをする作動部を構成することにより、チェーンが伸びて絶縁したレール部に当たると検出回路に電流が流れて検出装置を作動させるようにしている。
【０００７】
更に、例えば特許文献２には取水路用除塵機のチェーン緊張装置が提案されている。このチェーン緊張装置の場合には、手動レバーの代わりに電動スクリュージャッキを用いると共に、キャリアチェーンの張力をロードセルで常時検出し、これにより電動スクリュージャッキの発停を行って雌ネジを回動することで、スクリューロッドを昇降するようにしている。
【０００８】
【特許文献１】
特開昭６０−１０００８号公報（第３頁右上欄第４行〜第１１行）
【特許文献２】
特開平８−１７７０２８号公報（段落
【００１０】）
【０００９】
【発明が解決しようとする課題】
しかしながら、トルクレンチ７Ｅを用いてキャリアチェーン３の緊張力を調整する方法の場合には、テークアップ本体７Ａとテークアップガイド７Ｂ間の摩擦状態や、テークアップロッド７Ｃとテークアップナット７Ｄの螺合状態及びそのネジ効率等によってトルクが大きく変動し、トルクレンチ７Ｅの読取値が不安定であるため、トルクレンチ７Ｅのトルクの読取値のみでキャリアチェーン３の緊張状態の適否を判断することが難いという課題があった。また、場合によっては下部のスプロケット１とキャリアチェーン３の噛合状態を潜水作業により確認しながらテークアップを行う必要があった。
【００１０】
特許文献１に記載のテークアップ検出装置の場合には、テークアップ検出回路の開閉動作によりチェーンと走行ガイド間の隙間の有無を判断することができるが、チェーンの緊張力を付与する場合にはオペレータに頼らざるを得なかった。
【００１１】
更に、特許文献２に記載のチェーン緊張装置の場合には、コスト的に高いという課題があった。
【００１２】
本発明は、上記課題を解決するためになされたもので、潜水作業を行うことなく、低コストでキャリアチェーンの緊張力の適否を簡単に判断して最適な緊張状態を得ることができる水路用除塵機を提供することを目的としている。
【００１３】
【課題を解決するための手段】
本発明の請求項１に記載の水路用除塵機は、上下左右にそれぞれ離間して配置された上下二対のスプロケットと、上下二対のスプロケット間にそれぞれ掛け回された左右一対の無端状チェーンと、左右一対の無端状チェーンに掛け回された上部のスプロケットを第２の無端状チェーンを介して駆動する駆動機構と、上下のスプロケット間の間隔を拡縮して上記無端状チェーンの緊張力を調整する張力調整機構とを備え、上記左右の無端状チェーンに取り付けられた複数のバスケットを介して水中の塵芥を捕捉する水路用除塵機において、上記駆動機構の駆動力を介して上記無端状チェーンの緊張力を検出する検出器を設けたことを特徴とするものである。
【００１４】
また、本発明の請求項２に記載の水路用除塵機は、請求項１に記載の発明において、上記検出器を着脱自在に設けたことを特徴とするものである。
【００１５】
また、本発明の請求項３に記載の水路用除塵機は、請求項１または請求項２に記載の発明において、上記検出器として電力計を設けたことを特徴とするものである。
【００１６】
【発明の実施の形態】
以下、図１及び図２に示す実施形態に基づいて本発明を説明する。尚、図１は本発明の水路用除塵機の一実施形態を示す概念図、図２はキャリアチェーンの緊張状態と電力計の電力値との関係を示すグラフである。
【００１７】
本実施形態の水路用除塵機１０は、図１に示すように、上下左右にそれぞれ離間して配置された上下二対のスプロケット１１、１２と、上下二対のスプロケット１１、１２間にそれぞれ掛け回された左右一対のキャリアチェーン１３、１３と、左右一対のキャリアチェーン１３、１３に掛け回された上部のスプロケット１２、１２を、無端状の駆動チェーン１４を介して駆動するモータ１５と、上下のスプロケット１１、１２間の間隔を拡縮してキャリアチェーン１３の緊張力を調整するテークアップ機構１６とを備え、制御装置１７の制御下でモータ１５が駆動して左右一対のキャリアチェーン１３に取り付けられた複数のバスケット１８を介して水中の塵芥を捕捉するように構成されている。
【００１８】
また、本実施形態に用いられるテークアップ機構１６は、テークアップ本体１６Ａ、テークアップガイド１６Ｂ、テークアップロッド１６Ｃ、テークアップナット１６Ｄ及びテークアップ調整棒１６Ｅを有している。
【００１９】
而して、本実施形態の水路用除塵機１０は、図１に示すように、モータ１５の駆動力を介してキャリアチェーン１３の緊張力を検出する検出器（例えば、電力計）１９を有している。電力計１９は、キャリアチェーン１３の緊張力を検出する時だけ設置し、水路用除塵機１０の稼動時には取り外すようにしてある。電力計１９は制御装置１７を介してモータ１５に接続され、制御装置１７の制御下で駆動するモータ１５の駆動電力を検出し、キャリアチェーン１３の種々の緊張力に対応する電力計１９の電力値をそれぞれ検出する。
【００２０】
従って、キャリアチェーン１３の緊張力を調整する場合には、テークアップ調整棒１６Ｅを用いてテークアップ本体１６Ａを持ち上げてキャリアチェーン１３を締付けた後、モータ１５を駆動し、この時のモータ１５の電力値を電力計１９によって検出し、予め作成されたグラフを参照してこの検出値からキャリアチェーン１３の緊張力の適否を判断する。
【００２１】
例えば図２は電力計１９の電力値とキャリアチェーン１３の緊張力の相関関係を示すグラフの一例である。キャリアチェーン１３が所定の緊張力以下の場合には、図２に示すようにモータ１５は一定の電力値（例えば、５．５ＫＷ）で駆動する。キャリアチェーン１３の緊張力が所定の値より大きくなるとモータ１５の負荷が急激に大きくなって電力値が適正値である５．５ＫＷから急激に大きくなり、緊張力が大きすぎることが判るようになっている。従って、電力値が急激に大きくなる手前でキャリアチェーン１３のテークアップを終了すれば、適正な緊張力を得ることができる。
【００２２】
次に、本実施形態の水路用除塵機１０のキャリアチェーン１３の緊力を調整する方法について説明する。まず、テークアップ調整棒１６Ｅをテークアップナット１６Ｄに装着し、テークアップナット１６Ｄを回転させ、テークアップ本体１６Ａをテークアップガイド１６Ｂに従って上昇させてキャリアチェーン１３を締め付ける。次いで、この状態で制御装置１７を介してモータ１５を駆動し、電力計１９の電力値を読み取る。読取値が５．５ＫＷを示す場合には、モータ１５を止めた後、再びテークアップ調整棒１６Ｅを介してキャリアチェーン１３の緊張力を大きくした後、テークアップ調整棒１６Ｅの操作を止め、モータ１５を駆動し、電力計１９の電力値を読み取る。
【００２３】
この操作を繰り返すうちに電力値が急激に大きくなる時点がある。この時、テークアップ調整棒１６Ｅを逆方向に操作してキャリアチェーン１３を少し緩める。そして、モータ１５の駆動電力が５．５ＫＷに戻った時点でキャリアチェーン１３が適正な緊張力を持っていると判断し、テークアップ操作を終了する。
【００２４】
以上説明したように本実施形態によれば、モータ１５の駆動力を介してキャリアチェーン１３の緊張力を検出する電力計１９を設けたため、テークアップ調整棒１６Ｅを用いてキャリアチェーン１３の緊張力を調整する際に、モータ１５を始動させ、この時の電力計１９の電力値を読み取ることによってキャリアチェーン１３の緊張力の適否を簡単に判断することができる。従って、モータ１５を駆動する場合には、従来のトルクレンチを用いる場合のような締付け誤差、即ち、テークアップ本体とテークアップガイドの摩擦状態や、テークアップロッドとテークアップナットの螺合状態及びネジ効率等に基づく誤差が介在する余地がなく、より適正な緊張力を得ることができる。
【００２５】
また、本実施形態によれば、モータ１５の駆動力とキャリアチェーン１３の緊張力の相関関係を示すグラフを作成し、このグラフを参照することによりキャリアチェーン１３の緊張力の適否を簡単に判断することができる。また、電力計１９を着脱自在に設けたため、テークアップ機構１６を使用しない時には電力計１９を外すことができ、邪魔になることがない。
【００２６】
尚、本発明は上記実施形態に何等制限されるものではない。例えば、上記実施形態では検出器として電力計を設けた場合について説明したが、電流計及び電圧計を設けても良い。
【００２７】
【発明の効果】
本発明の請求項１〜請求項３に記載の発明によれば、潜水作業を行うことなく、低コストでキャリアチェーンの緊張力の適否を簡単に判断して最適な緊張状態を得ることができる水路用除塵機を提供することができる。
【図面の簡単な説明】
【図１】本発明の水路用除塵機の一実施形態の要部を示す概念図である。
【図２】キャリアチェーンの緊張状態と電力計の電力値との関係を示すグラフである。
【図３】従来の水路用除塵機の一例を示す概念図である。
【図４】図３に示す水路用除塵機のキャリアチェーンと上部のスプロケットの関係を示す側面図である。
【符号の説明】
１０　　水路用除塵機
１１、１２　　スプロケット
１３　　キャリアチェーン（無端状チェーン）
１５　　駆動チェーン（第２の無端状チェーン）
１５　　モータ（駆動機構）
１６　　テークアップ機構（張力調整機構）
１７　　制御装置
１８　　バスケット
１９　　電力計（検出器）
【図１】
2004116190.tif 000003
【図２】
2004116190.tif 000004
【図３】
2004116190.tif 000005
【図４】
2004116190.tif 000006